(57)【要約】【課題】風呂給湯装置の追い焚きボタンの操作で風呂回路の水抜きを可能としつつ、風呂ポンプの故障を抑制する。【解決手段】追い焚きボタンの操作によって風呂ポンプが作動しても風呂回路の水流スイッチで流れが検知されない場合は、給湯部から給湯配管を介して風呂回路の風呂ポンプに湯を供給して呼び水を行う。また、呼び水後に風呂ポンプを所定時間に亘って作動させても水流スイッチで流れが検知されない場合は、浴槽内の湯水の不足と判断し、風呂ポンプを停止させて追い焚きを中止する。そして、呼び水の実行中に給湯配管の湯量センサで検知される湯の流量が所定値未満である場合には、風呂回路の水抜きと判断し、風呂ポンプを作動させてから所定時間よりも短い水抜き時間が経過すると、風呂ポンプを停止させる。こうすれば、呼び水の湯が供給されないまま風呂ポンプを作動させる時間を短くして故障を抑制できる。【選択図】図２
2017187259.tif 000002
【特許請求の範囲】
【請求項１】
浴槽に湯を供給することが可能であると共に、前記浴槽内の湯水を循環させて再加熱する追い焚き機能を有する風呂給湯装置において、
前記浴槽内の湯水を加熱するための加熱部と、
前記浴槽と前記加熱部との間で湯水を循環させる風呂回路に設けられて、湯水を移送する風呂ポンプと、
所定の追い焚きボタンが操作されると、前記風呂ポンプを制御することで前記追い焚きを実行可能な制御部と、
前記風呂回路に設けられて、該風呂回路の湯水の流れを検知する水流スイッチと、
前記風呂回路に給湯配管を介して接続され、前記浴槽に湯を供給することが可能な給湯部と、
前記給湯配管に設けられて、該給湯配管を流れる湯の流量を検知する湯量センサと
を備え、
前記風呂ポンプが作動しても前記水流スイッチで流れが検知されない場合に、前記給湯部から前記給湯配管を介して所定量の湯を前記風呂ポンプに供給する呼び水を行い、
前記呼び水が行われてから所定時間に亘って前記風呂ポンプの作動を継続しても前記水流スイッチで流れが検知されない場合に、前記浴槽内の湯水の不足と判断して、前記制御部は、前記風呂ポンプを停止させて前記追い焚きを中止し、
前記呼び水の実行中に前記湯量センサで検知される流量が基準値未満である場合には、前記風呂回路の水抜きと判断して、前記制御部は、前記風呂ポンプを作動させてから前記所定時間よりも短い水抜き時間が経過すると、該風呂ポンプを停止させる
ことを特徴とする風呂給湯装置。
【請求項２】
請求項１に記載の風呂給湯装置において、
前記水抜き時間は、前記風呂ポンプの移送能力と、前記風呂回路の容積とに基づいて設定された該風呂回路の水抜きに必要な時間である
ことを特徴とする風呂給湯装置。
【発明の詳細な説明】
【技術分野】
【０００１】
本発明は、浴槽に湯を供給する風呂給湯装置に関し、特に、浴槽内の湯水を循環させて再加熱する追い焚き機能を有する風呂給湯装置に関する。
【背景技術】
【０００２】
浴槽に湯を供給する風呂給湯装置には、浴槽内の湯水を再加熱する追い焚き機能を有するものがある。追い焚きボタンが操作されると開始される追い焚きは、浴槽と加熱部とを繋ぐ風呂回路に設けられた風呂ポンプを駆動して浴槽内の湯水を循環させ、加熱部で加熱することによって行われる。また、風呂回路には、湯水の流れを検知する水流スイッチが設けられており、風呂ポンプが作動しても水流スイッチで水流が検知されない場合には、加熱部で加熱を行わず、給湯部から給湯配管を通じて風呂ポンプに所定量の湯を供給する呼び水を行った後、再度風呂ポンプを駆動して水流スイッチを確認することが行われている（例えば、特許文献１）。これは、浴槽内に湯水があっても、風呂ポンプや風呂回路に湯水が満たされていない場合が考えられるためであり、呼び水を行って風呂ポンプの作動から所定時間内に水流スイッチで水流が検知されるようになれば、風呂ポンプおよび風呂回路に湯水が満たされたことになるので、加熱部で加熱を実行する。一方、呼び水が行われた風呂ポンプの作動を所定時間に亘って継続しても水流スイッチで水流が検知されなければ、浴槽内に湯水がないと判断して追い焚きを中止し、浴槽に湯を供給する湯張りに切り換える。
【０００３】
こうした追い焚き機能付きの風呂給湯装置で風呂回路から水抜きする場合には、次のようにして行われる。まず、水抜きの作業者が、浴槽の排水栓を抜いて排水すると共に、給水配管の元栓を閉じた後に給水配管および給湯配管の水抜き栓を開けて給湯部から水抜きする。続いて、追い焚きボタンの操作によって追い焚きと同様に風呂ポンプを作動させる。このとき、水流スイッチで水流が検知されず風呂ポンプに呼び水を行おうとしても、先に給水配管の元栓が閉じられているので、風呂ポンプに呼び水の湯は供給されない。それでも、風呂ポンプはある程度の移送能力を有するので、風呂ポンプを動かしておけば風呂回路から水抜きすることができる。
【先行技術文献】
【特許文献】
【０００４】
【特許文献１】特開２００６−２８４０２６号公報
【発明の概要】
【発明が解決しようとする課題】
【０００５】
しかし、上述のように風呂回路からの水抜きの際に、呼び水の湯が供給されないまま風呂ポンプを長時間動かし続けると、空転による軸封部の焼き付きなど風呂ポンプが故障し易くなるという問題があった。もちろん、水抜きの完了を見計らって作業者が風呂ポンプを手動で（もう一度追い焚きボタンを操作して）停止させれば、必要以上に風呂ポンプを作動させなくて済むものの、この場合は、水抜きの完了まで作業者がその場所を離れられないので不便であった。
【０００６】
この発明は従来の技術における上述した課題に対応してなされたものであり、追い焚きボタンの操作によって風呂回路からの水抜きを可能としつつ、作業者がその場所から離れても、風呂ポンプの故障を抑制することが可能な風呂給湯装置の提供を目的とする。
【課題を解決するための手段】
【０００７】
上述した課題を解決するために、本発明の風呂給湯装置は次の構成を採用した。すなわち、
浴槽に湯を供給することが可能であると共に、前記浴槽内の湯水を循環させて再加熱する追い焚き機能を有する風呂給湯装置において、
前記浴槽内の湯水を加熱するための加熱部と、
前記浴槽と前記加熱部との間で湯水を循環させる風呂回路に設けられて、湯水を移送する風呂ポンプと、
所定の追い焚きボタンが操作されると、前記風呂ポンプを制御することで前記追い焚きを実行可能な制御部と、
前記風呂回路に設けられて、該風呂回路の湯水の流れを検知する水流スイッチと、
前記風呂回路に給湯配管を介して接続され、前記浴槽に湯を供給することが可能な給湯部と、
前記給湯配管に設けられて、該給湯配管を流れる湯の流量を検知する湯量センサと
を備え、
前記風呂ポンプが作動しても前記水流スイッチで流れが検知されない場合に、前記給湯部から前記給湯配管を介して所定量の湯を前記風呂ポンプに供給する呼び水を行い、
前記呼び水が行われてから所定時間に亘って前記風呂ポンプの作動を継続しても前記水流スイッチで流れが検知されない場合に、前記浴槽内の湯水の不足と判断して、前記制御部は、前記風呂ポンプを停止させて前記追い焚きを中止し、
前記呼び水の実行中に前記湯量センサで検知される流量が基準値未満である場合には、前記風呂回路の水抜きと判断して、前記制御部は、前記風呂ポンプを作動させてから前記所定時間よりも短い水抜き時間が経過すると、該風呂ポンプを停止させる
ことを特徴とする。
【０００８】
このような本発明の風呂給湯装置では、作業者が浴槽の排水、および給湯部の水抜き（給水配管の元栓を閉じた後に給水配管および給湯配管の水抜き栓を開ける作業）を行った後に、追い焚きボタンを操作すると、風呂ポンプが作動することによって風呂回路の水抜きを促進することができる。このとき、浴槽内には湯水がないことから水流スイッチで流れが検知されず、風呂ポンプに呼び水を行おうとしても、先に給水配管の元栓が閉じられていることで給湯部から風呂ポンプに湯が供給されない。そのため、湯量センサで基準値以上の流量が検知されないことに基づいて、追い焚きとは区別して、風呂回路の水抜きと判断することができ、水抜き時間が経過したら風呂ポンプを自動的に停止させることにより、作業者が追い焚きボタンの操作後にその場所から離れても、風呂回路の水抜きを完了することが可能となる。そして、水抜き時間は、呼び水が行われた風呂ポンプを作動させて追い焚きの可否を判断する際の限度である所定時間よりも短い時間に設定されており、呼び水の湯が供給されないまま風呂ポンプを作動させる時間を短くすることによって、空転による軸封部の焼き付きといった風呂ポンプの故障を抑制することができる。
【０００９】
上述した本発明の風呂給湯装置では、水抜き時間を、風呂ポンプの移送能力と風呂回路の容積とに基づいて設定された風呂回路の水抜きに必要な時間としてもよい。
【００１０】
このようにすれば、風呂ポンプを必要以上に作動させないことで、空転時間を短くすることができるので、風呂ポンプの寿命を延ばすことが可能となる。
【図面の簡単な説明】
【００１１】
【図１】本実施例の風呂給湯装置１の全体構成を示す説明図である。
【図２】本実施例のコントローラ６０が実行する追い焚き制御処理のフローチャートである。
【図３】追い焚き制御処理の中で実行される水抜き処理のフローチャートである。
【発明を実施するための形態】
【００１２】
図１は、本実施例の風呂給湯装置１の全体構成を示す説明図である。この風呂給湯装置１は、風呂の浴槽２に湯を溜める湯張り機能だけでなく、浴槽２内の湯水を再加熱する追い焚き機能を有している。図示されるように本実施例の風呂給湯装置１には、供給された上水を加熱して湯を生成する給湯部１０と、浴槽２から循環される湯水を加熱する風呂加熱部１１とが設けられている。給湯部１０には、燃料ガスを燃焼させる給湯用バーナ１２が設けられており、給湯用バーナ１２の上方には給湯用熱交換器１３が設けられている。また、給湯用バーナ１２の下方には燃焼ファン１４が設けられており、給湯用バーナ１２に燃焼用空気を送る。
【００１３】
給湯部１０と同様に、風呂加熱部１１には、燃料ガスを燃焼させる風呂用バーナ１５が設けられており、風呂用バーナ１５の上方には風呂用熱交換器１６が設けられている。また、風呂用バーナ１５には、燃焼ファン１４によって燃焼用空気が送られる。
【００１４】
燃料ガスを供給するガス配管２０には、ガス配管２０を開閉する元弁２１と、ガス配管２０を通過する燃料ガスの流量を調節する比例弁２２とが設けられている。また、ガス配管２０は、比例弁２２よりも下流側で２つに分岐して給湯用バーナ１２および風呂用バーナ１５に接続されており、分岐した各配管を開閉する給湯用電磁弁２３および風呂用電磁弁２４が設けられている。
【００１５】
給湯用熱交換器１３には、給水配管２５を通じて上水が供給されており、供給された上水は、給湯用熱交換器１３で給湯用バーナ１２の燃焼排気との熱交換によって加熱された後、湯となって出湯配管３０へと流出する。給湯用熱交換器１３に接続された給水配管２５には、給水配管２５を流れる水の流量を検知する水量センサ２６が設けられており、水量センサ２６で検知される流量に応じて給湯用バーナ１２での燃焼が制御される。また、給水配管２５には、給水配管２５を開閉する給水元栓２７が設けられており、給水元栓２７の下流側には水抜きのための水抜き栓２８が設けられている。
【００１６】
給湯用熱交換器１３の下流側に接続された出湯配管３０は、水抜き栓３１を備えると共に、カラン３２と接続されている。また、出湯配管３０からは、浴槽２に湯を供給するための湯張り配管３３が分岐している。この湯張り配管３３には、湯張り配管３３を開閉する湯張り電磁弁３４と、浴槽２側からの逆流を阻止する逆止弁３５と、湯張り配管３３を流れる湯の流量を検知する湯量センサ３６とが設けられている。尚、給湯部１０の水抜きは、作業者が給水元栓２７を手動で閉じて上水の供給を停止した後、給水配管２５の水抜き栓２８および出湯配管３０の水抜き栓３１を開放することによって可能である。また、本実施例の出湯配管３０および湯張り配管３３は、本発明の「給湯配管」に相当している。
【００１７】
風呂用熱交換器１６には、浴槽２に開口する循環金具５との間で浴槽２内の湯水を循環させる風呂回路５０が接続されている。風呂回路５０は、風呂戻り配管５１と風呂往き配管５２とを備えており、風呂戻り配管５２には、浴槽２から湯水を吸い出して風呂用熱交換器１６へと送る風呂ポンプ５４や、風呂ポンプ５４と風呂用熱交換器１６との間で風呂戻り配管５１内の湯水の一定以上の流れを検知する水流スイッチ５５や、浴槽２から吸い出された湯水の温度を検知する風呂温度センサ５６が設けられている。追い焚きの際には風呂ポンプ５４が作動し、浴槽２から吸い出された湯水は、風呂戻り配管５１を通って風呂用熱交換器１６に送られ、風呂用熱交換器１６で風呂用バーナ１５の燃焼排気との熱交換によって加熱された後、風呂往き配管５２を通って再び浴槽２に供給される。尚、本実施例の風呂用熱交換器１６は、本発明の「加熱部」に相当している。
【００１８】
また、前述した湯張り配管３３は、風呂回路５０の風呂戻り配管５１に接続されており、風呂ポンプ５４に湯を供給して風呂ポンプ５４の呼び水を行うことが可能である。そして、湯張りの際には湯張り配管３３から風呂回路５０を介して浴槽２に湯が供給される。尚、浴槽２内の湯水は、浴槽２の底部の排水口３を塞ぐ排水栓４を抜くことで排出される。
【００１９】
さらに、風呂給湯装置１には、装置全体を制御するコントローラ６０が搭載されており、前述の燃焼ファン１４、元弁２１、比例弁２２、給湯用電磁弁２３、風呂用電磁弁２４、水量センサ２６、湯張り電磁弁３４、湯量センサ３６、風呂ポンプ５４、水流スイッチ５５、風呂温度センサ５６などがコントローラ６０と電気的に接続されている。また、コントローラ６０には、リモコン６２が電気的に接続されており、リモコン６２は、浴槽２の湯量や湯温などを設定するための設定ボタン６３や、湯張りを指示する湯張りボタン６４や、追い焚きを指示する追い焚きボタン６５などの使用者が操作可能な各種ボタン、および風呂給湯装置１の設定状況や運転状況などを表示可能な表示部６６を備えている。
【００２０】
コントローラ６０は、湯張りボタン６４が操作されると、湯張り電磁弁３４を開くと共に、燃焼ファン１４や、元弁２１、比例弁２２、給湯用電磁弁２３、図示しない点火プラグなどを制御して給湯用バーナ１２での燃焼を開始させる。これにより、給湯部１０で生成された湯が出湯配管３０、湯張り配管３３、風呂回路５０を通って浴槽２に供給される。浴槽２に供給された湯量は、湯量センサ３６で検知される流量に基づいて算出することができ、設定湯量に達したら、湯張り電磁弁３４を閉じて湯の供給を停止する。
【００２１】
また、コントローラ６０は、追い焚きボタン６５が操作されると、まず、風呂ポンプ５４を駆動し、水流スイッチ５５で湯水の流れが検知されたら、燃焼ファン１４や、元弁２１、比例弁２２、風呂用電磁弁２４、図示しない点火プラグなどを制御して風呂用バーナ１５での燃焼を開始させる。これにより、浴槽２から吸い出された湯水は、風呂用熱交換器１６を通過する間に燃焼排気で加熱されて再び浴槽２に供給される。浴槽２内の湯水の温度は、風呂温度センサ５６で検知することができ、設定湯温に達したら、風呂ポンプ５４を停止して追い焚きを終了する。
【００２２】
このような本実施例の風呂給湯装置１では、追い焚きボタン６５の操作によって追い焚きを行うだけでなく、追い焚きに代えて風呂回路５０の水抜きを行うことも可能となっている。以下では、追い焚きボタン６５が操作されると、コントローラ６０が実行する処理（追い焚き制御処理）について説明する。尚、本実施例のコントローラ６０は、本発明の「制御部」に相当している。
【００２３】
図２は、本実施例のコントローラ６０が実行する追い焚き制御処理のフローチャートである。追い焚き制御処理では、まず、風呂ポンプ５４を作動させ（ＳＴＥＰ１００）、水流スイッチ５５がＯＮ状態であるか否かを判断する（ＳＴＥＰ１０２）。本実施例の風呂給湯装置１では、風呂ポンプ５４が６Ｌ／ｍｉｎの移送能力（吐出量）を有しており、水流スイッチ５５は、風呂回路５０内の３Ｌ／ｍｉｎ以上の湯水の流れでＯＮ状態になる。そのため、浴槽２内に循環金具５よりも高い水位の湯水があれば、風呂ポンプ５４の作動によって浴槽２から吸い出された湯水が風呂回路５０を循環することで水流スイッチ５５がＯＮ状態となる。
【００２４】
そして、水流スイッチ５５がＯＮ状態である場合は（ＳＴＥＰ１０２：ｙｅｓ）、浴槽２内に湯水があると判断して、追い焚きの燃焼を開始する（ＳＴＥＰ１０４）。すなわち、燃焼ファン１４を作動させると共に、元弁２１、比例弁２２、風呂用電磁弁２４を開弁して点火プラグ（図示省略）で火花を飛ばすことによって風呂用バーナ１５で燃焼を開始させる。すると、風呂回路５０を循環する湯水は、風呂用熱交換器１６で風呂用バーナ１５の燃焼排気との熱交換によって再加熱されるので、浴槽２内の湯水の温度が上昇する。
【００２５】
続いて、風呂温度センサ５６の検知温度（浴槽２内の湯水の温度）が設定温度に達したか否かを判断し（ＳＴＥＰ１０６）、未だ設定温度に達していない場合は（ＳＴＥＰ１０６：ｎｏ）、設定温度に達するまで待機する。その後、風呂温度センサ５６の検知温度が設定温度に達した場合は（ＳＴＥＰ１０６：ｙｅｓ）、追い焚きの燃焼を停止する（ＳＴＥＰ１０８）。すなわち、風呂用バーナ１５を消火した後、燃焼ファン１４を停止させる。こうして追い焚きの燃焼を停止したら、風呂ポンプ５４を停止させ（ＳＴＥＰ１１０）、図２の追い焚き制御処理を終了する。
【００２６】
一方、ＳＴＥＰ１０２の判断において、水流スイッチ５５がＯＮ状態ではない場合は（ＳＴＥＰ１０２：ｎｏ）、浴槽２内に湯水がないか、あるいは風呂ポンプ５４や風呂回路５０が湯水で満たされていないために、湯水が風呂回路５０を循環していないと推定される。そこで、風呂ポンプ５４を一旦停止させて（ＳＴＥＰ１１２）、まず、風呂ポンプ５４を湯水で満たすための呼び水処理を行う（ＳＴＥＰ１１４）。この呼び水処理は、湯張り電磁弁３４を開いて湯張り配管３３から風呂回路５０の風呂ポンプ５４に所定量（本実施例の風呂ポンプ５４では６Ｌ）の湯を供給することで行われる。
【００２７】
また、呼び水処理の際には、湯張り配管３３を流れる湯の流量を湯量センサ３６で検知しており、湯量センサ３６の検知流量が基準値以上であるか否かを判断する（ＳＴＥＰ１１６）。この基準値は、給湯部１０に上水が供給されている（給水元栓２７が開いた）状態で湯張り電磁弁３４を開いた場合に検知される最低流量であり、本実施例では２Ｌ／ｍｉｎに設定されている。つまり、湯量センサ３６の検知流量が基準値以上であれば、風呂ポンプ５４の呼び水のための湯が正常に供給される。
【００２８】
そして、湯量センサ３６の検知流量が基準値以上である場合は（ＳＴＥＰ１１６：ｙｅｓ）、呼び水が行われた風呂ポンプ５４を作動させ（ＳＴＥＰ１１８）、水流スイッチ５５がＯＮ状態であるか否かを判断する（ＳＴＥＰ１２０）。水流スイッチ５５がＯＮ状態である場合は（ＳＴＥＰ１２０：ｙｅｓ）、浴槽２内に湯水があり、且つ風呂ポンプ５４および風呂回路５０が湯水で満たされたと判断して、追い焚きのために前述したＳＴＥＰ１０４〜ＳＴＥＰ１１０の処理を行うと、図２の追い焚き制御処理を終了する。
【００２９】
一方、水流スイッチ５５がＯＮ状態ではない場合は（ＳＴＥＰ１２０：ｎｏ）、次に、風呂ポンプ５４の作動から所定時間が経過したか否かを判断する（ＳＴＥＰ１２２）。本実施例では風呂ポンプ５４に自吸式ポンプを採用しており、呼び水が行われた風呂ポンプ５４の作動によって浴槽２から吸い出した湯水で風呂回路５０を満たすことが可能である。また、所定時間は、空の状態の風呂回路５０に湯水を満たすまでの時間が確保されており、本実施例では１０分に設定されている。そして、未だ所定時間が経過していない場合は（ＳＴＥＰ１２２：ｎｏ）、ＳＴＥＰ１２０に戻って水流スイッチ５５がＯＮ状態であるか否かを判断し、所定時間内にＯＮ状態になれば（ＳＴＥＰ１２０：ｙｅｓ）、ＳＴＥＰ１０４〜ＳＴＥＰ１１０の処理を行って、図２の追い焚き制御処理を終了する。
【００３０】
これに対して、風呂ポンプ５４の作動から所定時間が経過した場合は（ＳＴＥＰ１２２：ｙｅｓ）、浴槽２内に循環金具５に届く水位の湯水がない（湯水が不足している）と判断して、追い焚きを中止するために風呂ポンプ５４を停止させ（ＳＴＥＰ１２４）、続いて、浴槽２内に湯水がない旨を使用者に対して報知する（ＳＴＥＰ１２６）。本実施例の風呂給湯装置１では、リモコン６２の表示部６６で浴槽２内に湯水がないことを示すエラー表示で報知すると、図２の追い焚き制御処理を終了する。尚、ＳＴＥＰ１２６の報知は、表示部６６での表示に限られず、音声によって行ってもよい。
【００３１】
また、本実施例のコントローラ６０は、浴槽２内に湯水がないことに基づいて追い焚きを中止して図２の追い焚き制御処理を終了すると、湯張り制御処理へ移行する。この湯張り制御処理では、大まかには次のような処理が行われる。まず、湯張り電磁弁３４を開き、水量センサ２６で上水の流入が検知されると、燃焼ファン１４を作動させると共に、元弁２１、比例弁２２、給湯用電磁弁２３を開弁して点火プラグ（図示省略）で火花を飛ばすことによって給湯用バーナ１２で燃焼を開始させる。これにより、給湯部１０で生成された湯が浴槽２に供給され、湯量センサ３６の検知流量に基づいて算出される浴槽２への供給湯量が設定湯量に達したら、湯張り電磁弁３４を閉じる。すると、水量センサ２６で上水の流入が検知されなくなるので、給湯用バーナ１２を消火した後、燃焼ファン１４を停止させる。
【００３２】
一方、ＳＴＥＰ１１６の判断において、湯量センサ３６の検知流量が基準値（２Ｌ／ｍｉｎ）未満である場合は（ＳＴＥＰ１１６：ｎｏ）、風呂回路５０の水抜きと判断して、以下の水抜き処理を実行する（ＳＴＥＰ１２８）。本実施例の風呂給湯装置１では、風呂回路５０の水抜きに際して、作業者が排水栓４を抜いて浴槽２から排水すると共に、給水元栓２７を閉じた後に水抜き栓２８，３１を開放して給湯部１０や出湯配管３０や湯張り配管３３の水抜きを行ってから、追い焚きボタン６５を操作するようになっている。従って、ＳＴＥＰ１１４の呼び水処理で湯張り電磁弁３４を開いても、先に給水元栓２７が閉じられているので、湯張り配管３３から風呂ポンプ５４に湯が供給されることはなく、湯量センサ３６の検知流量が基準値未満であることに基づいて、風呂回路５０の水抜きと判断することができる。
【００３３】
図３は、追い焚き制御処理の中で実行される水抜き処理のフローチャートである。水抜き処理では、まず、風呂回路５０の水抜きを実行する旨を作業者に対して報知する（ＳＴＥＰ１３０）。本実施例の風呂給湯装置１では、リモコン６２の表示部６６に風呂回路５０の水抜きの実行を示す表示を行う。尚、ＳＴＥＰ１３０の報知は、表示部６６での表示に限られず、音声によって行ってもよい。
【００３４】
続いて、風呂ポンプ５４を作動させる（ＳＴＥＰ１３２）。前述したように本実施例の風呂回路５０は、浴槽２と風呂用熱交換器１６との間で湯水を循環させるようになっており、経路途中の風呂ポンプ５４や水流スイッチ５５や風呂用熱交換器１６の流路抵抗が大きいことから、浴槽２の排水を行っただけでは、特に風呂戻り配管５１の風呂ポンプ５４よりも風呂用熱交換器１６側に水が残ってしまう傾向にある。本実施例の風呂ポンプ５４は、浴槽２が排水された状態で呼び水の湯が供給されなくても、ある程度の移送能力を有するので、風呂ポンプ５４を動かしておけば風呂回路５０の水抜きを促進することができる。
【００３５】
風呂ポンプ５４を作動させると、次に、水抜き時間が経過したか否かを判断する（ＳＴＥＰ１３４）。この水抜き時間は、前述のように呼び水が行われた風呂ポンプ５４を作動させて追い焚きの可否を判断する際（ＳＴＥＰ１２２）の限度である所定時間（１０分）よりも短い時間に設定されている。また、本実施例の水抜き時間は、風呂ポンプ５４の移送能力（単位時間当たりに移送する液量）と、風呂回路５０の容積とに基づいて設定された風呂回路５０の水抜きに必要な時間となっている。例えば、直径３０ｍｍで全長２５ｍの風呂回路５０である場合には、容積が１７．７Ｌであるので、端数を切り上げて約１８Ｌとして、風呂ポンプ５４の移送能力が６Ｌ／ｍｉｎであれば、容積を移送能力で割り算することで求めた「３分」を水抜き時間として設定することができる。
【００３６】
そして、風呂ポンプ５４の作動から水抜き時間が経過していない場合は（ＳＴＥＰ１３４：ｎｏ）、水抜き時間が経過するまで待機する。その後、水抜き時間が経過した場合は（ＳＴＥＰ１３４：ｙｅｓ）、風呂ポンプ５４を停止させて（ＳＴＥＰ１３６）、図３の水抜き処理を終了する。また、水抜き処理（ＳＴＥＰ１２８）から復帰すると、図２の追い焚き制御処理も終了する。
【００３７】
以上に説明したように本実施例の風呂給湯装置１では、作業者が浴槽２の排水および給湯部１０の水抜きを行った後に、追い焚きボタン６５を操作すると、風呂ポンプ５４が作動することによって風呂回路５０の水抜きを促進することができる。このとき、浴槽２内に湯水がないことから水流スイッチ５５がＯＮ状態にならず、風呂ポンプ５４の呼び水のために湯張り電磁弁３４を開いても、給湯部１０の水抜きで先に給水元栓２７が閉じられていることで給湯部１０から風呂ポンプ５４に湯が供給されない。そのため、湯量センサ３６で基準値以上の流量が検知されないことに基づいて、追い焚きとは区別して、風呂回路５０の水抜きと判断することができ、水抜き時間が経過したら風呂ポンプ５４を自動的に停止させることにより、作業者が追い焚きボタン６５の操作後にその場所から離れても、風呂回路５０の水抜きを完了することが可能となる。そして、水抜き時間は、呼び水が行われた風呂ポンプ５４を作動させて追い焚きの可否を判断する際の限度である所定時間よりも短い時間に設定されており、呼び水の湯が供給されないまま風呂ポンプ５４を作動させる時間を短くすることによって、空転による軸封部の焼き付きといった風呂ポンプ５４の故障を抑制することができる。
【００３８】
特に、本実施例の風呂給湯装置１では、風呂ポンプ５４の移送能力と、風呂回路５０の容積とに基づいて風呂回路５０の水抜きに必要な時間が水抜き時間として設定されており、風呂ポンプ５４を必要以上に作動させないことで空転時間を短くすることができるので、風呂ポンプ５４の寿命を延ばすことが可能となる。
【００３９】
以上、本実施例の風呂給湯装置１について説明したが、本発明は上記の実施例に限られるものではなく、その要旨を逸脱しない範囲において種々の態様で実施することが可能である。
【００４０】
例えば、上述した実施例の風呂給湯装置１では、風呂回路５０が浴槽２と風呂用熱交換器１６との間で湯水を循環させるようになっていた。しかし、暖房機能を備えた風呂給湯装置１では、暖房用の熱媒を循環させる循環回路に液／液熱交換器を設けることとして、風呂回路５０が浴槽２と液／液熱交換器との間で湯水を循環させるようにしてもよい。この場合は、液／液熱交換器が本発明の「加熱部」に相当し、風呂ポンプ５４の作動によって浴槽２から吸い出された湯水は、液／液熱交換器で熱媒との熱交換によって加熱された後、再び浴槽２に供給される。このような風呂給湯装置１においても本発明を好適に適用することができる。
【００４１】
また、前述した実施例の水抜き処理（図３）では、水抜きの実行を報知した後に、風呂ポンプ５４を作動させるようになっていた。しかし、この報知は必須ではなく、省略してもよい。ただし、前述の実施例のように水抜きの実行を報知するようにすれば、風呂回路５０の水抜きで追い焚きボタン６５を操作した作業者が、追い焚きではなく、風呂回路５０の水抜きのために風呂ポンプ５４が作動している（風呂ポンプ５４が水抜き時間の経過で停止する）ことを確認することが可能となる。
【符号の説明】
【００４２】
１…風呂給湯装置、          ２…浴槽、                ３…排水口、
４…排水栓、                ５…循環金具、            １０…給湯部、
１１…風呂加熱部、          １２…給湯用バーナ、      １３…給湯用熱交換器、
１４…燃焼ファン、          １５…風呂用バーナ、      １６…風呂用熱交換器、
２０…ガス配管、            ２１…元弁、              ２２…比例弁、
２３…給湯用電磁弁、        ２４…風呂用電磁弁、      ２５…給水配管、
２６…水量センサ、          ２７…給水元栓、          ２８…水抜き栓、
３０…出湯配管、            ３１…水抜き栓、          ３２…カラン、
３３…湯張り配管、          ３４…湯張り電磁弁、      ３５…逆止弁、
３６…湯量センサ、          ５０…風呂回路、          ５１…風呂戻り配管、
５２…風呂往き配管、        ５４…風呂ポンプ、        ５５…水流スイッチ、
５６…風呂温度センサ、      ６０…コントローラ、      ６２…リモコン、
６３…設定ボタン、          ６４…湯張りボタン、      ６５…追い焚きボタン、
６６…表示部。
【図１】
2017187259.tif 000003
【図２】
2017187259.tif 000004
【図３】
2017187259.tif 000005